(57)【要約】【課題】ゴーストの発生を防止する羽根駆動装置を提供すること。【解決手段】光を通過させる固定開口を有する開口形成部材と、前記固定開口を出入りする複数の絞り羽根と、前記複数の絞り羽根に駆動力を与える動力伝達部材とを備え、前記複数の絞り羽根が形成する絞り開口の中心は、前記固定開口の中心と前記固定開口の開口縁部との間に位置することを特徴とする。また、絞り開放状態から小絞り状態に変化する過程において、前記固定開口に進入する絞り羽根は、前記固定開口の一部のみに進入した状態で前記絞り開口を形成可能であることを特徴とする。【選択図】図２
2018132568.tif 000002
【特許請求の範囲】
【請求項１】
光を通過させる固定開口を有する開口形成部材と、
前記固定開口を出入りする複数の絞り羽根と、
前記複数の絞り羽根に駆動力を与える動力伝達部材と
を備え、
前記複数の絞り羽根が形成する絞り開口の中心は、前記固定開口の中心と前記固定開口の開口縁部との間に位置することを特徴とする羽根駆動装置。
【請求項２】
絞り開放状態から小絞り状態に変化する過程において、
前記固定開口に進入する絞り羽根は、前記固定開口の一部のみに進入した状態で前記絞り開口を形成可能であることを特徴とする請求項１に記載の羽根駆動装置。
【請求項３】
絞り開放状態から小絞り状態に変化する過程において、
前記固定開口に進入する絞り羽根は、前記固定開口の下側のみに進入した状態で前記絞り開口を形成可能であることを特徴とする請求項２に記載の羽根駆動装置。
【請求項４】
絞り開放から最小絞りに変化する過程において、
前記固定開口に進入する絞り羽根は、一時的に、前記固定開口の中心と前記固定開口の開口縁部との間に前記絞り開口を形成することを特徴とする請求項１に記載の羽根駆動装置。
【請求項５】
前記動力伝達部材は、前記開口形成部材における前記固定開口から離れた位置に設けられた駆動レバーであり、前記絞り羽根は、前記固定開口に対して直進して進入して前記絞り開口を形成することを特徴とする請求項１から４のいずれか一項に記載の羽根駆動装置。
【請求項６】
前記動力伝達部材は、前記開口形成部材における前記固定開口を囲むように環状に設けられた駆動リングであり、前記絞り羽根は、前記固定開口に対して回動して進入して前記絞り開口を形成することを特徴とする請求項１から４のいずれか一項に記載の羽根駆動装置。
【請求項７】
前記絞り羽根は、前記動力伝達部材と係合する係合部を有し、
前記絞り開口が絞り開放から最小絞りに変化するように、前記動力伝達部材が前記絞り羽根を駆動する過程において、
前記係合部に対する前記動力伝達部材からの付勢によって、前記絞り開口の中心が前記固定開口の中心から離れていくことを特徴とする請求項１から６のいずれか一項に記載の羽根駆動装置。
【請求項８】
請求項１から７のいずれか一項に記載の羽根駆動装置を有することを特徴とする光学機器。
【発明の詳細な説明】
【技術分野】
【０００１】
本発明は撮影レンズの遮光構造に係り、特に撮影画角外からの有害光線の入射によるゴーストイメージを除去する撮影レンズの遮光構造に関する。
【背景技術】
【０００２】
従来のカメラの撮影レンズは、例えばレンズ鏡筒内に、第１レンズ群、第２レンズ群、第３レンズ群及び第４レンズ群が順に配置され、第３レンズ群と第４レンズ群の間に絞りが配置されており、各レンズ群及び絞りを通過した光をＣＣＤ等の撮像面に結像させているものなどがある。
【０００３】
ところで、太陽、照明光などの非常に強い光が従来の撮影レンズの撮影画角外から入射すると、その光が絞り開口端面や鏡筒内面などで反射して撮像面に達するため、撮影画面にゴーストが発生するという問題がある。かかるゴースト発生の原因となる有害光を撮像面へ進入させない為に、従来の撮影レンズでは、絞りの開口径やレンズ枠の開口径を小さくしたり、有害光を遮断するために遮光構造を追加したりしている。
【先行技術文献】
【特許文献】
【０００４】
【特許文献１】特開平８−２３４０７２号公報
【特許文献２】特開平８−３３４７２５号公報
【発明の概要】
【発明が解決しようとする課題】
【０００５】
しかしながら、特許文献１にて開示された撮影レンズのように光路中に遮光構造を設けると、絞り開放時のレンズの有効面積に影響を与えてしまう。また、特許文献２にて開示された撮影レンズのように、絞り開口径を小さくすると撮影に必要な光束の通過領域の一部を広く遮光してしまうという問題がある。このことは、レンズの有効口径を不必要に小さくすることになり、絞り開放時のＦナンバーが大きくなるという問題がある。
【課題を解決するための手段】
【０００６】
本発明に係る羽根駆動装置は、このような事情に鑑みてなされたもので、
光を通過させる固定開口を有する開口形成部材と、
前記固定開口を出入りする複数の絞り羽根と、
前記複数の絞り羽根に駆動力を与える動力伝達部材と
を備え、
前記複数の絞り羽根で形成する絞り開口の中心Ｐは、前記固定開口の中心と前記固定開口の開口縁部との間に位置することを特徴とする。
【発明の効果】
【０００７】
本発明によれば、有効絞りを小さくせずに、撮影画角外から入射する有害光線によるゴーストの発生を防止することができる。
【図面の簡単な説明】
【０００８】
【図１】本発明の実施形態１に係る羽根駆動装置の分解斜視図。
【図２】実施形態１の絞り開口の変化を示す正面図。
【図３】本発明の実施形態１に係る撮影レンズの断面図１。
【図４】本発明の実施形態１に係る撮影レンズの断面図２。
【図５】本発明の実施形態１に係る撮影レンズの断面図３。
【図６】本発明の実施形態２に係る羽根駆動装置の分解斜視図。
【図７】実施形態２の絞り開口の変化を示す正面図。
【図８】実施形態２の絞り開口の変化を示す正面図（カバー無し）。
【図９】実施形態２の絞り開口の変化を示す正面図（羽根１枚）。
【図１０】実施形態１，２の羽根駆動装置を搭載した光学機器の概略図。
【発明を実施するための形態】
【０００９】
以下、本発明の実施形態について図面を参照しながら詳細に説明する。
【００１０】
＜実施形態１＞
図１には、本発明の実施形態１である羽根駆動装置の一例である羽根駆動装置としての絞り装置の分解斜視図を示す。また、図２では、図１中に示すカバー１０６を取り除いた状態を示している。さらに、図２は、絞り開放から閉じ切りへ変化する過程を（Ａ）⇒（Ｂ）⇒（Ｃ）⇒（Ｄ）⇒（Ｅ）の順に示している。また、これらの図において絞り装置の開口面に沿う長手方向であってこの絞り装置が光学機器に組み込まれた際に鉛直方向を向く上下方向が、「光通過方向に直交する方向」に相当し、以下の説明では光軸直交方向という。また、これらの図における絞り装置の左右方向（開口面に沿う短手方向）を幅方向という。
【００１１】
これらの図において、開口形成部材としての地板１０２には、光を通過させる固定開口１０２ａが形成されている。地板１０２は、プレス加工や樹脂成形等によって製作されている。該地板１０２の外面（光軸方向一方側の面）のうち、固定開口１０２ａから下方向に離れた位置には、絞り駆動部１０１が取り付けられている。絞り駆動部１０１は、例えば、不図示のロータマグネットと、該ロータマグネットと一体で回転する駆動レバー１０３（動力伝達部材）と、通電されてロータマグネットを回転させる磁力を発生する不図示のコイルにより構成される電磁駆動モータである。また、ステッピングモータであってもよい。
【００１２】
駆動レバー１０３は羽根駆動ピン１０３ｉ、１０３ｊを有する。駆動レバー１０３は、固定開口１０２ａから下方向に離れて位置する軸（回転中心１０３ａ）回りにおいて、所定の角度範囲で回動する。駆動レバー１０３は、樹脂成形等によって形成されている。
【００１３】
駆動レバー１０３は、回転中心１０３ａの位置を挟んだ地板１０２の幅方向両側の先端に、絞り羽根１０４、１０５を駆動するための伝達部としての羽根駆動ピン１０３ｉ，１０３ｊを有する。羽根駆動ピン１０３ｉは、絞り羽根１０４と係合している。また、羽根駆動ピン１０３ｊは、絞り羽根１０５と係合している。駆動レバー１０３を回転させることで、絞り羽根１０４と絞り羽根１０５が地板１０２の固定開口１０２ａ内に出入りし、絞り開口を形成するとともに、そのサイズ（径）を変化させる。
【００１４】
絞り羽根１０４〜１０５は、プレス成形や樹脂成形等により形成される。
【００１５】
絞り羽根１０４、絞り羽根１０５は、固定開口１０２ａを挟み込むように光通過開口に直交する方向に移動する。以下に、それぞれの絞り羽根について、詳細を説明する。
絞り羽根１０４は、係合部である駆動孔部１０４ｉにて、駆動レバー１０３の羽根駆動ピン１０３ｉと係合している。また、絞り羽根１０４に光軸直交方向に延びるように形成された係合部としてのガイド長孔部１０４ｂ、１０４ｃには、地板１０２に形成されたガイド部（ガイド軸部）としてのガイドピン１０２ｂ、１０２ｃが摺動可能に係合している。駆動レバー１０３が上述した所定の角度範囲で回動すると、絞り羽根１０４は、駆動孔部１０４ｉにて羽根駆動ピン１０３ｉから駆動力を受け、ガイド長孔部１０４ｂ、１０４ｃがガイドピン１０２ｂ、１０２ｃによってガイドされながら、光軸直交方向に駆動される。
【００１６】
また、絞り羽根１０４には、ガイドピン１０２ｄとの干渉を回避するための長穴部１０４ｄが形成されている。ガイドピン１０２ｄを長穴部１０４ｄに貫通させるようにすること、すなわち、絞り羽根１０４を、ガイドピン１０２ｄを超えて地板１０２の幅方向に延在させることで、絞り羽根１０４の形状をその強度が確保できる形状とすることができるとともに、ガイドピン１０２ｄを地板１０２に効率良く配置することができる。また、長穴部１０４ｄを絞り羽根１０４に形成することで、絞り羽根１０４を軽量化することができ、シャッタ動作に有効である。
【００１７】
絞り羽根１０５は、係合部である駆動孔部１０５ｊにて、駆動レバー１０３の羽根駆動ピン１０３ｊと係合している。また、絞り羽根１０５に光軸直交方向に延びるように形成された係合部としてのガイド長孔部１０５ｄ、１０５ｅには、地板１０２に形成されたガイド部（ガイド軸部）としてのガイドピン１０２ｄ、１０２ｅが摺動可能に係合している。駆動レバー１０３が上述した所定の角度範囲で回動すると、絞り羽根１０５は、駆動孔部１０５ｊにて羽根駆動ピン１０３ｊから駆動力を受け、ガイド長孔部１０５ｄ、１０５ｅがガイドピン１０２ｄ，１０２ｅによってガイドされながら、光軸直交方向に駆動される。
【００１８】
また、絞り羽根１０５には、ガイドピン１０２ｂとの干渉を回避するための長穴部１０５ｂが形成されている。ガイドピン１０２ｂを長穴部１０５ｂに貫通させるようにすること、すなわち、絞り羽根１０５を、ガイドピン１０２ｂを超えて地板１０２の幅方向に延在させることで、絞り羽根１０５の形状をその強度を確保できる形状とすることができるとともに、ガイドピン１０２ｂを地板１０２に効率良く配置することができる。また、長穴部１０５ｂを絞り羽根１０５に形成することで、絞り羽根１０５を軽量化することができ、シャッタ動作に有効である。
【００１９】
なお、本実施形態では、駆動レバー１０３の羽根駆動ピン１０３ｉ，１０３ｊに１枚ずつ絞り羽根を係合させたが、複数枚同時に係合させてもよい。また本実施形態１では、絞り羽根が直進移動する例で説明しているが、絞り羽根の移動は、直進、揺動、回転等の動きで固定開口１０２ａ内外に出入りする構成としてもよく、その際の絞り羽根のガイドは先に説明した方法だけとは限らない。例えば、絞り羽根１０４のガイド長孔部１０４ｂ、１０４ｃを屈曲させて形成し、絞り羽根１０４が揺動しながら固定開口１０２ａに対して進退するようにしてもよいし、絞り羽根１０４をガイドピン１０２ｂ、１０２ｃなどを中心として回動することで固定開口１０２ａに進退するようにしてもよい。また、駆動レバーに設ける羽根駆動ピンの数を増やし、それぞれの駆動ピンに異なる種類の絞り羽根を係合させ、絞り開口を形成させてもよい。
【００２０】
カバー１０６は、地板１０２との間に絞り羽根１０４、１０５が収容されて移動する空間を形成するように地板１０２に取り付けられるカバーである。カバー１０６は、地板１０２に形成された固定開口１０２ａに対応する開口１０６ａを有する。また、ガイドピン１０２ｂ〜ｅに対応する開口または凹部を有する。カバー１０６は、プレス加工や樹脂成形等により製作されている。カバー１０６の内面（地板側の面）には、絞り羽根１０４、１０５との摺動抵抗を低減するため、不図示のレールが形成されている。本実施形態においては図１に示すようにカバー１０６の外面は平面状であるが、平板で形成されたカバー１０６を地板１０２側に突出させるように屈曲させてレールを形成しても良い。
【００２１】
本実施形態では、駆動レバー１０３は、左右で異なる腕の長さにしている。腕の長さとは、回転中心１０３ａから羽根駆動ピン１０３ｊの長さ、回転中心１０３ａから羽根駆動ピン１０３ｉの長さのことを言う。駆動レバー１０３のそれぞれの腕の長さが異なるため、駆動レバー１０３ａを回転させ、絞り羽根を駆動させるとき、それぞれの絞り羽根が固定開口１０２ａに進入する速度及び距離は異なる。羽根駆動ピン１０３ｊ側の腕の長さの方が長いため、絞り羽根１０５の移動速度の方が速い。
【００２２】
次に、本実施形態においける絞り開口の変化を、図２を用いて説明する。図２（Ａ）では、絞り羽根１０４と絞り羽根１０５は、地板１０２の固定開口１０２ａより退避した退避位置となっている。
【００２３】
図２（Ｂ）は、絞り羽根１０５のみが地板１０２の固定開口１０２ａ内に進入した状態である。駆動レバー１０３のそれぞれの腕の長さが異なるため、絞り羽根１０５が固定開口１０２ａに先に進入する。ここで、図３、図４は、羽根駆動装置が図２（Ｂ）の状態の時の、撮影レンズの断面図である。このように、本実施形態の絞り羽根は、絞り羽根１０５のみが固定開口１０２ａ内に進入して絞り開口を形成可能になっており、この場合には、絞り羽根１０５が形成する絞り開口の中心Ｐは、固定開口１０２ａの中心から上方にずれる。絞り羽根１０５による絞り開口が小さくなればなる程、絞り開口の中心Ｐは固定開口１０２ａの中心からずれていく。
【００２４】
図３には、第１レンズ群１におけるゴーストの原因となる光が示されており、例えば太陽光線Ｌは一部が鏡筒内面などで反射して、図示の軌跡で、撮像素子１０７側に向かう。このような鏡筒内面での反射がゴーストの原因となっていたが、本実施形態の羽根駆動装置では、太陽光線Ｌによる反射光が集中しやすい光路下側のみを絞り羽根１０５で遮断することが可能であるため、絞り開口の面積を確保しながらゴーストを防止することが可能である。
【００２５】
図４には、第１レンズ群１におけるゴーストの原因となる光が示されており、例えば太陽光線Ｌの一部はレンズ面で全反射し、図示の軌跡で、撮像素子１０７側に向かう。このような多重反射がゴーストの原因となっていたが、本実施形態の羽根駆動装置では、太陽光線Ｌの全反射による光が集中する光路下側のみを絞り羽根１０５で遮断することが可能であるため、絞り開口の面積を確保しながらゴーストを防止することが可能である。
【００２６】
このとき、光路上側については、遮光する必要は無いため、必要最小限の遮光にて、ゴーストの発生を防止することが可能である。さらに、本実施形態では、光の強い撮影環境の時に、図２（Ｂ）の状態に制御することが可能な構造であるため、普段の撮影環境の際は、絞り開放時のレンズの有効面積への影響はない。つまり、通常の絞り動作における光量調節の際に絞り開口の一部分が先行して固定開口１０２ａ内に進入するようにしているため、所定の絞り値を得たい場合に、所定の光量が得られる絞り開口に向けた絞り動作を行うだけでゴーストの原因となる光が撮像素子面に入射することを防止する構造を簡易に形成することができる。
【００２７】
図２に戻り絞り開口の変化を説明する。図２（Ｃ）、図２（Ｄ）は、中間絞りの状態である。図２（Ｃ）の時、絞り羽根１０４、絞り羽根１０５で形成する絞り開口の中心Ｐは、地板１０２の固定開口１０２ａの中心Ｏから固定開口１０２ａの縁部の方向にずれた位置となる。また、図２（Ｄ）の時、絞り羽根１０４、絞り羽根１０５で形成する絞り開口は、地板１０２の固定開口１０２ａの中心Ｏと固定開口１０２ａの縁部の間の位置で形成され、図２（Ｃ）における絞り開口の中心Ｐよりも固定開口１０２ａの縁部の方向にずれている。図２（Ｃ）、図（Ｄ）においては固定開口１０２ａから上方にずれた位置である。すなわち、撮影レンズとしては、レンズ中心Ｏから離れた位置で、絞り開口が形成される。
【００２８】
なお、図２（Ｂ）も、図２（Ｃ）、（Ｄ）と同様に、絞り羽根１０４と絞り羽根１０５とで形成する絞り開口の中心Ｐは、地板１０２の固定開口１０２ａの中心Ｏからずれた位置となっている。つまり、図２（Ｃ）よりも固定開口１０２ａの中心Ｏに近く、絞り開口を絞るにつれて絞り開口の中心Ｐが固定開口１０２ａの縁部の方向に徐々にずれていくようになっている。
【００２９】
図５は、羽根駆動装置が図２（Ｄ）の状態の時の、撮影レンズの断面図である。図５に示す光は、撮像素子１０７の表面で反射する光を示す。撮像素子面は、レンズとは異なり反射防止のコーティングを施すことが難しい。撮像素子面での光の反射は、撮影レンズ内の多重反射の要因となっており、ゴーストが発生する要因となっている。
【００３０】
本実施形態の羽根駆動装置では、レンズの中心Ｏに対して、一方向側のみで絞り開口を形成する。絞り開口に入射した光は、撮像素子面で反射し、反射光はレンズ中心Ｏに対して反対側に戻る。このとき、反射光は、羽根駆動装置の絞り羽根１０５によって形成される遮光部に到達するため、反射光は遮断される。
【００３１】
従って、絞り羽根１０５の撮像素子側の面には反射防止膜が形成されており、一例としては黒色塗料であるが、それに限られず、絞り羽根１０５が樹脂で形成する場合、その樹脂自体が反射を防止できる構造となっていてもよい。レンズの中心と絞り開口の中心Ｐが同一軸となっている羽根駆動装置では、反射光を絞り羽根で遮光することはできない。本実施形態の羽根駆動装置では、レンズ内での多重反射（特に撮像素子面まで到達した光の反射）を防止することができ、ゴーストの発生を防止することができる。本実施形態の羽根駆動装置を用いた光学機器は、光の強い環境で発生するゴーストを防止できるため、屋外で使用される監視カメラ、車載カメラ等の分野において大きな効果を発揮する。
【００３２】
図２（Ｅ）は、絞り開口を完全に閉じ切った時の図である。本実施例の絞り装置は、前述したように駆動レバー１０３を回動させることで絞り開口径を変化させることができ、さらに絞り開口を完全に閉じる（閉じきる）ことができる。このため、本実施例の絞り装置は、シャッタ動作を行うことも可能である。つまり、本実施例の絞り装置は、絞りシャッタ装置として使用することもできる。また、絞り開口を完全に閉じ切れることは、撮像機器未使用時に撮像素子に光があたることを防止できるため、撮像素子の保護にも役立つ。
【００３３】
また、実施形態１において、絞り羽根１０４、もしくは絞り羽根１０５に光学フィルタ（例えばＮＤフィルタ、ＩＲカットフィルタ等）を貼り付けて光量を調節することも可能である。また、絞り駆動部１０１とは別の駆動部を設けて光学フィルタを駆動させ、光量を調整することも可能である。
【００３４】
例えば、ＩＲカットフィルタを用いる場合、日中などに赤外線や可視光などの所定の光が多い環境においてはＩＲカットフィルタを組み合わせて用い、夜間や屋内などの可視光などの所定の光が少ない環境においては、ＩＲカットフィルタを光軸から退避させるように使用しても良い。なお、ＩＲカットフィルタの駆動は、絞り駆動部１０１とは別の駆動部を設けても良いが、一部の絞り羽根１０４と連動して駆動されるようにして、例えば光量の多い環境において、絞り開口が所定の開口径よりも小さいときのみ光軸に進入するようにしても良い。一例としては、絞り開口が最大開口となっているときにはフィルタが固定開口１０２ａ内に進入せずに、絞り羽根によって絞り開口が形成されるのに連動してフィルタが固定開口１０２ａ内に進入するように構成しても良い。
【００３５】
周囲の光量に基づいてフィルタの進退を切り替えても良く、他の方法としては撮像装置に内蔵の時計もしくは外部機器から取得した時刻を元に例えば日中と判断した場合のみＩＲカットフィルタやＮＤフィルタなどの進退を切り替えても良い。また、絞り開口の径に応じて進退を制御しても良い。また、ユーザが手動でフィルタの進退を切り替えても良い。なお、使用環境によって、夜間であっても日光以外の光源などの影響により赤外線や可視光などの所定の光が入射する光量が大きい場合には、そのタイミングでのみフィルタを使用してもよい。
【００３６】
実施形態１の羽根駆動装置は、さまざま撮像レンズにおいてゴーストの発生を防止することができるが、特に単焦点レンズでの効果が大きい。実施形態１の羽根駆動装置では、撮像素子と絞り羽根の間に配置されるレンズが少ないほど早く撮像素子で反射した光を絞り羽根で遮断することができる。ズームレンズに対して、単焦点レンズの方が、羽根駆動装置と撮像素子の間に配置されるレンズの数が少ないため、より大きな効果を得ることができる。
【００３７】
本実施形態に係る羽根駆動装置においては、絞り開放から小絞りに変化する過程において、ゴーストの発生の原因となる有害光が集中する光路下側から優先的に遮光し、ゴーストを防止することができる。加えて、光路を遮る遮光部材を配置する必要がないため、絞り開放時にレンズの有効面積への影響がない。また、絞り開口径を全周囲から小さくするのではなく、有害光が集まる光路下側から遮光するため、必要最小限の遮光でゴーストの発生を防止することが可能である。
【００３８】
また、レンズを多重に重ねて構成される撮像レンズでは、太陽光等が多重反射してゴーストとなるが、本発明では、絞り開口がレンズの中心と開口縁部の間にあるため、太陽光等の多重反射を絞り羽根で遮ることができる。そのため、多重反射によるゴーストを防止することが可能である。
【００３９】
＜実施形態２＞
図６には、本発明の実施形態２である羽根駆動装置の一例である羽根駆動装置としての絞り装置の分解斜視図を示す。図７は、絞り開放から小絞りへ変化する過程を（Ａ）⇒（Ｂ）⇒（Ｃ）の順に示している。
【００４０】
図６において、ベース部材２０２の中央に固定開口２０２ａが形成されている。ベース部材２０２は、後述する絞り羽根２０４の駆動を案内するカム溝２０２ｂ〜２０２ｈ（あるいは長溝）を有する。ベース部材２０２は、樹脂成形などによって形成される。ベース部材２０２には、駆動部２０１が取り付けられる。駆動部２０１は、例えば、ステッピングモータ、ガルバノモータなどを使用する。駆動部２０１の回転軸２０１ａに、ピニオン２０３が取り付けられる。
【００４１】
駆動リング２０５は、光通過経路の少なくとも一部を構成する貫通孔を有し、光が通過する経路（光通過経路）を取り囲むような環状のシート状部材（無端リング状部材）から形成され、光通過経路の周囲で回動する。この駆動リング２０５には、後述する絞り羽根が係合する。すなわち、駆動リングは、駆動リングの回動に伴って絞り羽根が光通過経路に対して出入りするように連動して駆動されるよう構成されていることから、絞り羽根を駆動するための部材（動力伝達部材）となる。この駆動リング２０５は、開口２０５ａとカバー部材２０６の開口２０６ａの内径（内壁）と係合する係合部２０５ｎと絞り羽根と係合して駆動する駆動溝２０５ｂ〜２０５ｈと駆動部２０１からの駆動力がピニオン２０３を介して伝達される被駆動部２０５ｋを有する。開口２０５ａは、絞り開口によって絞り開口が最大となる状態（全開状態）において、光通過開口を形成するようにしても良い。
【００４２】
駆動リング２０５は、樹脂成形などによって形成される。また、例えば、樹脂フィルム（ＰＥＴシート材等）をプレス加工して作成されたりする。プレス加工できる場合は、樹脂成形の形状精度に比べて、形状精度を高精度に形成することができるため、絞り精度の高精度が可能になる。
【００４３】
樹脂フィルムの厚みとしては、０．０３ｍｍ〜０.３０ｍｍの材料の使用が可能である。厚みを極力薄くすることで、回転する際のイナーシャを小さくさせることができ、絞り装置を高速動作させることができる。駆動リング２０５は、ベース部材２０２およびカバー部材２０６によりスラスト方向、ラジアル方向とも最適な可動が可能な支持をされることで、厚みを薄くしても、駆動リング２０５の変形を最小限に抑えることができる。また、樹脂フィルムの駆動リング２０５に凸形状を形成する場合（例えば係合部２０５ｎなど）は、凸形状部をインサート成形し取り付けてもよいし、圧入、接着等で取り付けてもよい。
【００４４】
また、駆動リング２０５は、片面あるいは両面に表面処理がなされている材料を用いると良い。表面処理としては、例えば、摺動塗装、帯電防止処理、反射防止処理などがある。摺動塗装することで、駆動リングと摺動する部品であるベース部材２０２、後述する絞り羽根２０４、カバー部材２０６との摩擦を低減することができ、省電力での作動が可能になる。また、反射防止処理をすることで、本光量調節装置内に進入した光の反射を抑え、レンズ鏡筒内に光量調節装置が組み込まれた際の、ゴースト、フレア等の発生を防止することができる。
【００４５】
駆動リング２０５の係合部２０５ｎは、カバー部材２０６の被係合部としての開口２０６ａと係合する。本実施形態では、係合部２０５ｎは、複数の凸部で構成されており、カバー部材２０６と等間隔な位置で係合する。係合部２０５ｎは、複数の凸部でなく、円周上につながった環状の構造でもよい。駆動リング２０５は、回転の支持を係合部２０５ｎで支持されるため、駆動リング２０５は周方向の変形、移動を抑えられることができる。そのため、駆動リング２０５は、厚みが薄くても変形することなく動作することが可能である。係合部２０５ｎは、樹脂成形で作られたり、駆動リング２０５がシート部材の時は、インサート成形や別部材を接着、溶着、カシメ等で取り付けられたりする。
【００４６】
また、駆動リング２０５には、被駆動部２０５ｋであるギア部がある。被駆動部２０５ｋは、ピニオン２０３と噛み合っている。駆動部２０１で発生した回転力をピニオン２０３から被駆動部２０５ｋに伝え、駆動リング２０５が回転する。駆動リング２０５の被駆動部２０５ｋとピニオン２０３のギアの噛み合いでは、被駆動部２０５ｋの厚みが薄く、ギアのかみ合い面積が小さいため、ギア同士のかみ合い音が小さい。また、ピニオン２０３と駆動リング２０５の質量差が大きいため、ピニオン２０３と被駆動部２０５ｋ間にバックラッシがあっても、ギアの噛み合い音、反転音等が小さくなる。
【００４７】
また、２０５ｍは遮光部である。フォトインタラプタ２０８のスリット内を出入りすることで、駆動リング２０５の回転位置を検知するセンサの役割を果たす。光量調節装置の初期化等に使用する。
【００４８】
図６に示すように、絞り羽根２０４は７枚の絞り羽根によって形成されており、それぞれ第１の駆動ピン２０４ｂ１〜ｈ１と第２の駆動ピン２０４ｂ２〜ｈ２を有する。絞り羽根２０４は、樹脂成形にて第１の駆動ピン２０４ｂ１〜ｈ１と第２の駆動ピン２０４ｂ２〜ｈ２を絞り羽根と一体に形成してもよい。
【００４９】
また、第１の駆動ピン２０４ｂ１〜ｈ１と第２の駆動ピン２０４ｂ２〜ｈ２は、樹脂成形で作成し、遮光処理されたシート部材に、接着、溶着、アウトサート成形などで一体化させてもよい。また、第１の駆動ピン２０４ｂ１〜ｈ１と第２の駆動ピン２０４ｂ２〜ｈ２を金属ピンで形成し、接着、溶着、カシメ等で一体化させてもよい。
【００５０】
図６に示すように、カバー部材２０６は、駆動リング２０５が回転可能に係合する開口２０６ａを有する。また、絞り羽根２０４の駆動を案内するカム溝２０６ｂ〜ｈを有している。ベース部材２０２とカバー部材２０６で形成された空間の中を駆動リング２０５と絞り羽根２０４が駆動する。
【００５１】
ここで、実施形態２の絞り羽根２０４の動きについて説明する。以下、一つの絞り羽根について代表して説明する。絞り羽根２０４の第１の駆動ピン２０４ｂ１は、図６においては、絞り羽根２０４の下面に配置されているため図示されていないが、ベース部材のカム溝２０２ｂに係合する。絞り羽根２０４の第２の駆動ピン２０４ｂ２は、駆動リング２０５のカム溝２０５ｂとカバー部材２０６のカム溝２０６ｂに連通する。
【００５２】
駆動部２０１によってピニオン２０３が回転すると、駆動リング２０５の被駆動部２０５ｋに駆動力が伝達し、駆動リング２０５が回転する。駆動リング２０５が回転すると、駆動リング２０５のカム溝２０５ｂから絞り羽根２０４の第２の駆動ピン２０４ｂ２に駆動力が与えられ、絞り羽根２０４が駆動する。このとき、図６の状態から回動が始まると、第２の駆動ピン２０４ｂ２は、カバー部材２０６のカム溝２０６ｂに係合しているため、カム溝２０６ｂに案内され、ベース部材２０２の固定開口２０２ａの周囲を回転しながら、第２の駆動ピン２０４ｂ２は、固定開口２０２ａから遠ざかる方向に移動しつつ、絞り羽根２０４の先端は固定開口２０２ａの中心Ｏに向かって進入する。
【００５３】
このとき、絞り羽根２０４の第１の駆動ピン２０４ｂ１は、ベース部材２０２のカム溝２０２ｂに係合している。カム溝２０２ｂによって、絞り羽根２０４の第１の駆動ピン２０４ｂ１は、ベース部材２０２の固定開口２０２ａの周囲を回転しながら、固定開口２０２ａに近づく方向に移動する。
【００５４】
絞り羽根２０４の第２の駆動ピン２０４ｂ２を固定開口２０２ａから遠ざける方向に移動させ、第１の駆動ピン２０４ｂ１を固定開口２０２ａに近づける方向に移動させることで、絞り羽根２０４は回転し、ベース部材２０２の固定開口２０２ａの内外を出入りする。複数の絞り羽根２０４について同様に駆動することにより絞り形状を調整することが可能になる。
【００５５】
本実施形態においては、第２の駆動ピン２０４ｂ２〜２０４ｆ２及び２０４ｈ２を持つ絞り羽根は駆動リング２０５によって上述した動作と同様の動作で駆動されるが、第２の駆動ピン２０４ｇ２を有する絞り羽根においては、第２の駆動ピン２０４ｇ２が駆動リング２０５のカム溝２０５ｇに挿通されてカム溝２０６ｇに案内されるが、カム溝２０５ｇは円形に形成される。従って、他の絞り羽根の第２の駆動ピンが固定開口２０２ａから遠ざかりながら絞り羽根の先端が固定開口２０２ａの中心Ｏに向かって進入する際に、第２の駆動ピン２０５ｇは固定開口２０２ａとの距離を保ちながら駆動される。この構成によって、相対的に他の絞り羽根に比べて固定開口２０２ａに近い位置で第２の駆動ピン２０５ｇを有する絞り羽根が回動することとなる。
【００５６】
さらに、本実施形態では、ベース部材２０２のカム溝２０２ｂ〜２０２ｈと、駆動リング２０５のカム溝２０５ｂ〜２０５ｈと、カバー部材２０６のカム溝２０６ｂ〜２０６ｈは、それぞれが適宜に異なる形状としている。カム溝の形状変更することで、各絞り羽根２０４の固定開口２０２ａに進入する速度、距離、位置を変えることできる。各絞り羽根の進入位置を変えることによって、最小の光通過開口を形成する小絞り状態において絞り羽根２０４によって形成される光通過開口の開口中心を固定開口２０２ａの中心からずれた位置に偏心させて形成させることができる。すなわち、駆動リング２０５によって絞り羽根が駆動されるのに伴って、第２の駆動ピン２０４ｂ２〜２０４ｆ２に対して駆動リング２０５に形成されたカム溝２０５ｂ〜ｈから図７における上向きに付勢力が加わることで、各絞り羽根２０４を上向きに移動させている。なお、図７（Ｂ）から図７（Ｃ）の状態に移行する間に、絞り開口の中心Ｐは、徐々に上方に移動している。
【００５７】
図７は、ベース部材２０２側から見た絞り形状である。図７（Ａ）の絞り開放状態、図７（Ｂ）の中間絞り状態、図７（Ｃ）の小絞り状態の順に変化する過程において、絞り羽根２０４の第１の駆動ピン２０４ｂ１〜ｈ１は、ベース部材２０２のカム溝２０２ｂ〜ｈに沿って移動する。すなわち、絞り羽根によって光通過開口を形成する状態になってからは、不図示ではあるが、実施形態２においても実施形態１と同様に、一時的に固定開口２０２ａの下側のみを絞り羽根２０４で遮光することもできる（図２（Ｂ）と同様の状態）。
【００５８】
図８は、図７に対してベース部材２０２を外した状態を示す図である。図９はさらに絞り羽根２０４を１枚だけ表示した状態の図である。
【００５９】
本実施形態の羽根駆動装置は、実施形態１と同様に、開放から小絞りに変化する過程において、絞り開口の中心Ｐが徐々に固定開口２０２ａの中心から離れていく。すなわち、実施形態２の羽根駆動装置を用いても、実施形態１における図３〜図５を用いて説明したように、ゴーストの原因となる光が最小限となるように遮光することができ、ゴーストの発生を防止することが可能である。
【００６０】
＜実施形態３＞
図１０は、実施形態１および２にて説明した絞り装置を搭載した光学機器としてのビデオカメラ（撮像装置）の概略構成を示している。
【００６１】
レンズ鏡筒部２１内に、変倍レンズ３２、実施例１，２の絞り装置２０およびフォーカスレンズ２９を含む撮影光学系が収容されている。
【００６２】
撮影光学系を通過して来た光が照射される位置に撮像素子２５が配置される。撮像素子２５は、ＣＣＤセンサやＣＭＯＳセンサ等の光電変換素子により構成される。撮像素子２５は、撮影光学系により形成された被写体像を光電変換して電気信号を出力する。絞り装置２０の絞り開口を変化させたりＮＤフィルタを進退させたりすることで、撮像素子２５上に形成される被写体像の明るさ（つまりは撮像素子２５に到達する光量）を適正に設定することができる。
【００６３】
撮像素子２５から出力された電気信号は、画像処理回路２６にて種々の画像処理を受ける。これにより、映像信号（ビデオ出力）が生成される。
【００６４】
コントローラ２２は、不図示のズームスイッチがユーザにより操作されることに応じて、ズームモータ３１を制御し、変倍レンズ３２を移動させて変倍（ズーミング）を行わせる。また、コントローラ２２は、映像信号のコントラストを検出し、該コントラストに応じてフォーカスモータ２８を制御し、フォーカスレンズ２９を移動させてオートフォーカスを行う。
【００６５】
さらに、コントローラ２２は、映像信号のうち輝度情報に基づいて、絞り装置２０の絞り駆動部１（およびＮＤ駆動部）を制御し、光量を調節する。これにより、撮影時のボケやゴーストを自然な形状にすることができ、高画質の映像を記録することができる。また、レンズ鏡筒部に内蔵された絞り装置２０が小型であるので、レンズ鏡筒部およびビデオカメラ全体の小型化を図ることができる。
【００６６】
本実施形態に係る光学機器としては、映像を撮影可能なものとして説明したが、本発明はこれに限定されるものではなく、画像を撮影可能なものを含め、監視カメラなどを含めた光学機器に広く適用可能である。
【００６７】
以上説明した各実施形態は代表的な例にすぎず、本発明の実施に際しては、各実施例に対して種々の変形や変更が可能である。
【００６８】
例えば、以上説明した各実施形態においては、絞り開口が形成されることに連動して絞り開口の中心Ｐが固定開口の中心Ｏから偏心していくものについて説明したが、それに限られず、所定の光量以上の状況すなわち、絞り開口が所定の大きさ以下となったときにのみ絞り開口の中心Ｐが偏心するようにしても良い。例えば、固定開口もしくは絞り開口の最大開口時の開口面積の半分以下となる位置から更に絞り開口が小絞り方向に絞られた場合に、絞り開口の中心Ｐが上方に移動していくように構成しても良い。これによれば、入射する光量が所定の光量を超える場合にのみゴーストを効果的に抑えることができ、ゴーストの発生があまり起こらない所定の光量以下の場合には、開口中心を偏心させることなく、絞り開口を形成することができる。
【００６９】
他の形態として、絞り開口が、最大開放時から最小絞りまでの間の所定の領域でのみ開口中心が固定開口の中心Ｏから偏心するように構成しても良く、その場合、例えば、最大開放付近ではゴースト発生が少ないため固定開口を偏心させずに、第１の閾値以下の絞り開口面積となった場合に徐々に絞り開口の中心Ｐを偏心させてゴーストの発生を抑え、第２の閾値以下となった場合には再度絞り開口の中心Ｐが固定開口の中心Ｏと一致する方向に移動するようにした上で、第３の閾値以下の絞り開口面積となった場合に、固定開口の中心Ｏと絞り開口の中心Ｐとが一致するようにし、フィルタなどを絞り開口内に進入させることによって全体の光量を抑えても良い。もっとも、第２の閾値以下となった場合にも絞り開口の中心Ｐが固定開口の中心Ｏからずれるようにした上でフィルタ等が絞り開口内に進入するように構成しても良い。
【符号の説明】
【００７０】
１０１  絞り駆動部
１０２  ベース部材（地板）
１０３  駆動レバー
１０４  絞り羽根
１０５  絞り羽根
１０６  カバー
１０７  撮像素子
【図１】
2018132568.tif 000003
【図２】
2018132568.tif 000004
【図３】
2018132568.tif 000005
【図４】
2018132568.tif 000006
【図５】
2018132568.tif 000007
【図６】
2018132568.tif 000008
【図７】
2018132568.tif 000009
【図８】
2018132568.tif 000010
【図９】
2018132568.tif 000011
【図１０】
2018132568.tif 000012